(57)【要約】【課題】通信端末の状況変化に迅速に対応すること。【解決手段】本発明の通信端末は、通信端末への対象物体の近接を検知する近接センサと、着信音声を音声出力する共に前記通信端末で集音された音声を発信する音声モードと、前記着信音声を文字に変換して表示すると共に前記通信端末に入力された文字を音声に変換して発信する文字入力モードと、を切り替える制御部と、を有し、前記制御部は、前記近接センサの検知結果を基に、前記音声モードと前記文字入力モードとを切り替える。【選択図】図１
2014183530.tif 000002
【特許請求の範囲】
【請求項１】
通信端末への対象物体の近接を検知する近接センサと、
着信音声を音声出力する共に前記通信端末で集音された音声を発信する音声モードと、前記着信音声を文字に変換して表示すると共に前記通信端末に入力された文字を音声に変換して発信する文字入力モードと、を切り替える制御部と、を有し、
前記制御部は、前記近接センサの検知結果を基に、前記音声モードと前記文字入力モードとを切り替える、通信端末。
【請求項２】
前記制御部は、
前記近接センサが対象物体の近接を検知している場合、前記音声モードに切り替え、
前記近接センサが対象物体の近接を検知していない場合、前記文字入力モードに切り替える、請求項１に記載の通信端末。
【請求項３】
前記制御部は、
前記近接センサの検知結果を基に、前記通信端末の状況を相手に報知する、請求項１または２に記載の通信端末。
【請求項４】
通信端末が行う制御方法であって、
近接センサにて、前記通信端末への対象物体の近接を検知する検知ステップと、
着信音声を音声出力する共に前記通信端末で集音された音声を発信する音声モードと、前記着信音声を文字に変換して表示すると共に前記通信端末に入力された文字を音声に変換して発信する文字入力モードと、を切り替える切替ステップと、を有し、
前記切替ステップでは、前記近接センサの検知結果を基に、前記音声モードと前記文字入力モードとを切り替える、制御方法。
【請求項５】
前記切替ステップでは、
前記近接センサが対象物体の近接を検知している場合、前記音声モードに切り替え、
前記近接センサが対象物体の近接を検知していない場合、前記文字入力モードに切り替える、請求項４に記載の制御方法。
【請求項６】
前記近接センサの検知結果を基に、前記通信端末の状況を相手に報知する報知ステップをさらに有する、請求項４または５に記載の制御方法。
【請求項７】
通信端末に、
近接センサにて、前記通信端末への対象物体の近接を検知する検知手順と、
着信音声を音声出力する共に前記通信端末で集音された音声を発信する音声モードと、前記着信音声を文字に変換して表示すると共に前記通信端末に入力された文字を音声に変換して発信する文字入力モードと、を切り替える切替手順と、を実行させ、
前記切替手順では、前記近接センサの検知結果を基に、前記音声モードと前記文字入力モードとを切り替える、プログラム。
【請求項８】
前記切替手順では、
前記近接センサが対象物体の近接を検知している場合、前記音声モードに切り替え、
前記近接センサが対象物体の近接を検知していない場合、前記文字入力モードに切り替える、請求項７に記載のプログラム。
【請求項９】
前記通信端末に、
前記近接センサの検知結果を基に、前記通信端末の状況を相手に報知する報知手順をさらに実行させる、請求項７または８に記載のプログラム。
【発明の詳細な説明】
【技術分野】
【０００１】
本発明は、近接センサを用いた通信端末を制御する技術に関する。
【背景技術】
【０００２】
現在、私たちの生活において、携帯電話機、スマートフォンなどの携帯通信端末は必需品となっており、外出時にもいつでもどこでも通話をすることができる。
【０００３】
しかし、電車やバスの中、映画館、劇場など、音声を発して通話を行うことができない場所（通話制限エリア）もある。
【０００４】
通話制限エリア内で携帯通信端末に着信があった場合、音声通話をすることができないため、着信側は発信側の用件および緊急度が分からず、また、発信側も着信側がどのような状況であるのか分からず、その結果、発信側および着信側共にストレスを感じていた。
【０００５】
上記問題を解決する技術としては、特許文献１に記載の無音応答機能を備えた携帯通信端末のように、相手の着信音声を文字に変換して表示し、また、自己の携帯通信端末に入力された文字を音声に変換して相手に発信する技術があった。
【０００６】
特許文献１に記載の技術によれば、通話制限エリア内で携帯通信端末に着信があった場合には、無音応答をすることができ、これにより上記問題を解決することができる。
【先行技術文献】
【特許文献】
【０００７】
【特許文献１】特開２００６−２９５４６８号公報
【発明の概要】
【発明が解決しようとする課題】
【０００８】
しかしながら、特許文献１に記載の技術においては、通信端末の状況変化（通話制限エリアへの出入り）に迅速に対応することができないという課題があった。
【０００９】
例えば、特許文献１に記載の技術においては、電車内で無音応答をしていて下車駅に着いた場合に、音声通話への切り替えを迅速に行うことができず、また、通話の途中で電車に乗った場合に、無音応答への切り替えを迅速に行うことができなかった。
【００１０】
そこで、本発明の目的は、上述した課題を解決し、通信端末の状況変化に迅速に対応することができる通信端末、制御方法、プログラムを提供することにある。
【課題を解決するための手段】
【００１１】
本発明の通信端末は、
通信端末への対象物体の近接を検知する近接センサと、
着信音声を音声出力する共に前記通信端末で集音された音声を発信する音声モードと、前記着信音声を文字に変換して表示すると共に前記通信端末に入力された文字を音声に変換して発信する文字入力モードと、を切り替える制御部と、を有し、
前記制御部は、前記近接センサの検知結果を基に、前記音声モードと前記文字入力モードとを切り替える。
【００１２】
本発明の制御方法は、
通信端末が行う制御方法であって、
近接センサにて、前記通信端末への対象物体の近接を検知する検知ステップと、
着信音声を音声出力する共に前記通信端末で集音された音声を発信する音声モードと、前記着信音声を文字に変換して表示すると共に前記通信端末に入力された文字を音声に変換して発信する文字入力モードと、を切り替える切替ステップと、を有し、
前記切替ステップでは、前記近接センサの検知結果を基に、前記音声モードと前記文字入力モードとを切り替える。
【００１３】
本発明のプログラムは、
通信端末に、
近接センサにて、前記通信端末への対象物体の近接を検知する検知手順と、
着信音声を音声出力する共に前記通信端末で集音された音声を発信する音声モードと、前記着信音声を文字に変換して表示すると共に前記通信端末に入力された文字を音声に変換して発信する文字入力モードと、を切り替える切替手順と、を実行させ、
前記切替手順では、前記近接センサの検知結果を基に、前記音声モードと前記文字入力モードとを切り替える。
【発明の効果】
【００１４】
本発明によれば、通信端末の状況変化に迅速に対応することができるという効果が得られる。
【図面の簡単な説明】
【００１５】
【図１】本発明の第１の実施形態の通信端末の機能ブロック図である。
【図２】本発明の第１の実施形態の通信端末における通話モードの切替動作を説明するフローチャートである。
【図３】本発明の第２の実施形態の通信端末の外観図である。
【図４】本発明の第２の実施形態の通信端末の機能ブロック図である。
【図５】本発明の第２の実施形態の通信端末における通話モードの切替動作を説明するフローチャートである。
【図６】本発明の第２の実施形態の通信端末における、文字入力モードでの通話動作を説明する図である。
【図７】本発明の第２の実施形態の通信端末にて表示する着信通知画面を説明する図である。
【図８】本発明の第２の実施形態の通信端末にて表示するメッセージ作成画面を説明する図である。
【発明を実施するための形態】
【００１６】
以下に、本発明を実施するための形態について図面を参照して説明する。
（１）第１の実施形態
図１は、本実施形態の通信端末１０の機能ブロック図である。
【００１７】
図１を参照すると、本実施形態の通信端末１０は、近接センサ１１と、制御部１２と、を有している。
【００１８】
近接センサ１１は、通信端末１０への対象物体の近接を検知するセンサである。
【００１９】
具体的には、近接センサ１１は、音声通話のためにユーザが通信端末１０に耳を近づけると、この耳を対象物体として検知する。なお、スマートフォンの場合、音声通話時に耳等が誤って画面に触れてしまい誤入力になることを避けるために近接センサが設けられているため、この近接センサを近接センサ１１として用いれば良い。
【００２０】
制御部１２は、近接センサ１１の検知結果を基に２つの通話モードを切り替える。
【００２１】
２つの通話モードの一方は、着信音声を音声出力する共に通信端末１０で集音された音声を発信する音声モードである。
【００２２】
２つの通話モードの他方は、着信音声を文字に変換して表示すると共に通信端末１０に入力された文字を音声に変換して発信する文字入力モードである。
【００２３】
具体的には、制御部１２は、近接センサ１１が対象物体の近接を検知している場合は、音声モードに切り替え、近接センサ１１が対象物体の近接を検知していない場合は、文字入力モードに切り替える。
【００２４】
以下、通信端末１０の動作について説明する。
【００２５】
図２は、通信端末１０における通話モードの切替動作を説明するフローチャートである。
【００２６】
図２を参照すると、制御部１２は、近接センサ１１が対象物体の近接を検知しているか否かを判断する（ステップＳ１１）。
【００２７】
ここで、近接センサ１１が対象物体の近接を検知している場合（ステップＳ１１のＹｅｓ）、制御部１２は、音声モードに切り替える（ステップＳ１２）。
【００２８】
一方、近接センサ１１が対象物体の近接を検知していない場合（ステップＳ１１のＮｏ）、制御部１２は、文字入力モードに切り替える（ステップＳ１３）。
【００２９】
上述したように本実施形態においては、制御部１２は、近接センサ１１の検知結果を基に、音声モードと文字入力モードとを切り替える。
【００３０】
そのため、例えば、文字入力モードに切り替えた後に、ユーザが通話制限エリア外に出て通信端末１０に耳を近づけた場合、このことを近接センサ１１を用いて検知して音声モードに切り替えることができる。
【００３１】
また、音声モードに切り替えた後に、ユーザが通話制限エリア内に入って通信端末１０から耳を離した場合、このことを近接センサ１１を用いて検知して文字入力モードに切り替えることができる。
【００３２】
したがって、通信端末１０の状況変化（通話制限エリアへの出入り）に迅速に対応することができるという効果が得られる。
【００３３】
なお、本実施形態においては、制御部１２は、近接センサ１１の検知結果を基に、通信端末１０の状況を相手に報知しても良い。通信端末１０の状況としては、例えば、ユーザが通信端末１０から耳を離したこと（音声通話ができない状況になったこと）等が考えられる。また、このときの報知内容および報知方法としては、例えば、「合成音声に切り替えます。」のようなアナウンス情報を相手に発信すること等が考えられる。
（２）第２の実施形態
本実施形態は、本発明の通信端末をスマートフォンに適用し、第１の実施形態の構成および動作を具体化した例である。
【００３４】
図３は、本実施形態の通信端末１００の外観図、図４は、本実施形態の通信端末１００の機能ブロック図である。
【００３５】
図３および図４を参照すると、本実施形態の通信端末１００は、着信音声パス切替部１０１と、レシーバー１０２と、音声認識部１０３と、表示部１０４と、タッチパネル１０５と、テキスト読み上げ部１０６と、マイク１０７と、発信音声パス切替部１０８と、近接センサ１０９と、制御部１１０と、を有している。
【００３６】
着信音声パス切替部１０１は、制御部１１０の指示に応じて、着信音声のパスを、レシーバー１０２側または音声認識部１０３側のいずれかに切り替える。
【００３７】
レシーバー１０２は、着信音声を音声出力する。
【００３８】
音声認識部１０３は、着信音声を認識して文字に変換する。
【００３９】
表示部１０４は、音声認識部１０３にて変換された文字を表示する。
【００４０】
タッチパネル１０５は、表示部１０４への対象物体の接触とその接触位置を検知する。
【００４１】
具体的には、タッチパネル１０５は、文字入力等のためにユーザが表示部１０４に指やスタイラスを接触させると、この指やスタイラスを対象物体として検知する。
【００４２】
テキスト読み上げ部１０６は、タッチパネル１０５にて検知された接触位置を基に、ユーザが入力した文字を判断し、その文字を合成音声に変換する。
【００４３】
マイク１０７は、ユーザが話した音声を集音する。
【００４４】
発信音声パス切替部１０８は、制御部１１０の指示に応じて、発信音声のパスを、テキスト読み上げ部１０６側またはマイク１０７側のいずれかに切り替える。
【００４５】
近接センサ１０９は、通信端末１００への対象物体の近接を検知するセンサである。
【００４６】
具体的には、近接センサ１０９は、レシーバー１０２付近に設置されており、音声通話のためにユーザが通信端末１００に耳を近づけると、この耳を対象物体として検知する。
【００４７】
制御部１１０は、近接センサ１０９の検知結果を基に２つの通話モードを切り替える。
【００４８】
２つの通話モードの一方は、着信音声をレシーバー１０２から音声出力する共に、マイク１０７にて集音された音声を発信する音声モードである。
【００４９】
２つの通話モードの他方は、着信音声を音声認識部１０３にて文字に変換して表示部１０４に表示すると共に、タッチパネル１０５を介して入力された文字をテキスト読み上げ部１０６にて合成音声に変換して発信する文字入力モードである。
【００５０】
具体的には、制御部１１０は、近接センサ１０９が対象物体の近接を検知している場合は、音声モードに切り替える。このとき、制御部１１０は、着信音声パス切替部１０１に対しては、着信音声のパスをレシーバー１０２側に切り替えるよう指示し、発信音声パス切替部１０８に対しては、発信音声のパスをマイク１０７側に切り替えるよう指示する。
【００５１】
また、制御部１１０は、近接センサ１０９が対象物体の近接を検知していない場合は、文字入力モードに切り替える。このとき、制御部１１０は、着信音声パス切替部１０１に対しては、着信音声のパスを音声認識部１０３側に切り替えるよう指示し、発信音声パス切替部１０８に対しては、発信音声のパスをテキスト読み上げ部１０６側に切り替えるよう指示する。
【００５２】
なお、図４は、文字入力モードに切り替えられた状態を示している。また、図３は、各構成要素の配置の一例を示したものであり、本発明はこれに限定されない。
【００５３】
以下、通信端末１００の動作について説明する。
【００５４】
図５は、通信端末１００における通話モードの切替動作を説明するフローチャートである。なお、図５においては、通信端末１００が着信側であるものとする。
【００５５】
図５を参照すると、制御部１１０は、通信端末１００に呼の着信があり（ステップＳ２１のＹｅｓ）、タッチパネル１０５を介して通話の開始が選択（例えば、後述する通話キーの押下等）されると（ステップＳ２２のＹｅｓ）、相手との呼接続を確立し、近接センサ１０９が対象物体の近接を検知しているか否かを判断する（ステップＳ２３）。
【００５６】
ここで、近接センサ１０９が対象物体の近接を検知している場合（ステップＳ２３のＹｅｓ）、制御部１１０は、音声モードに切り替える（ステップＳ２４）。
【００５７】
一方、近接センサ１０９が対象物体の近接を検知していない場合（ステップＳ２３のＮｏ）、制御部１１０は、文字入力モードに切り替える（ステップＳ２５）。
【００５８】
以降、タッチパネル１０５を介して通話の終了が選択（例えば、後述する終了キーの押下等）されるまで（ステップＳ２６のＮｏ）、制御部１１０は、ステップＳ２３以降の処理を繰り返す。
【００５９】
タッチパネル１０５を介して通話の終了が選択されると（ステップＳ２６のＹｅｓ）、制御部１１０は、相手との呼接続を解放し、処理を終了する。
【００６０】
なお、通信端末１００が発信側である場合には、呼を発信し、相手との呼接続を確立した後にステップＳ２３以降の処理を繰り返せば良いため、説明を省略する。
【００６１】
図６は、通信端末１００における文字入力モードでの通話動作を説明する図である。なお、図６においては、通信端末１００が着信側であり、通信端末１００に電話網３００を介して接続される通信端末２００が発信側であるものとする。
【００６２】
図６を参照すると、通信端末２００が通信端末１００に向けて呼を発信し（ステップＡ１）、その呼が通信端末１００に着信すると（ステップＡ２）、制御部１１０は、図７に示すような着信通知画面を表示部１０４に表示させる。
【００６３】
図７の着信通知画面には、発信者の名前および電話番号が表示されると共に、通話キーおよび終了キーが表示される。
【００６４】
通話キーは、通話を開始する場合に押下するキーであり、終了キーは、通話を拒否する場合に押下するキーである。
【００６５】
ここで、タッチパネル１０５を介して図７の着信通知画面における通話キーが押下（すなわち、通信開始が選択）されると（ステップＡ３）、制御部１１０は、通信端末２００との呼接続を確立した後、近接センサ１０９が対象物体の近接を検知しているか否かを判断する（ステップＡ４）。ここでは、近接センサ１０９が対象物体の近接を検知していないものとする。
【００６６】
そのため、制御部１１０は、通話モードを文字入力モードへ切り替えるため、着信音声パス切替部１０１における着信音声のパスを音声認識部１０３側に切り替え、また、発信音声パス切替部１０８における発信音声のパスをテキスト読み上げ部１０６側に切り替える（ステップＡ５）。さらに、制御部１１０は、図８に示すようなメッセージ作成画面を表示部１０４に表示させる。
【００６７】
図８のメッセージ作成画面には、発信側メッセージ欄、返信メッセージ欄、終了キー、送信キー、および文字入力キーが表示される。
【００６８】
発信側メッセージ欄には、発信側の通信端末２００が発信した音声を変換した文字が表示され、返信メッセージ欄には、着信側の通信端末１００に入力された文字が表示される。また、終了キーは、通話を終了する場合に押下するキーであり、送信キーは、返信メッセージ欄に表示された文字を送信する場合に押下するキーであり、文字入力キーは、文字入力時に押下するキーである。
【００６９】
以降、通信端末２００が通信端末１００に向けて音声を発信すると（ステップＡ６）、その音声は通信端末１００の音声認識部１０３に送られる。音声認識部１０３は、通信端末２００から送られてきた音声を文字に変換し（ステップＡ７）、表示部１０４は、音声認識部１０３にて変換された文字を、図８のメッセージ作成画面における発信側メッセージ欄に表示する（ステップＡ８）。
【００７０】
また、タッチパネル１０５を介して図８のメッセージ作成画面における文字入力キーが押下されて文字が入力されると（ステップＡ９）、表示部１０４は、入力された文字を、図８のメッセージ作成画面における返信側メッセージ欄に表示する。ここで、タッチパネル１０５を介して図８のメッセージ作成画面における送信キーが押下されると、テキスト読み上げ部１０６は、図８のメッセージ作成画面における返信メッセージ欄に表示された文字を合成音声に変換し（ステップＡ１０）、変換した合成音声を通信端末２００に向けて発信する（ステップＡ１１）。この合成音声は、通信端末２００のレシーバー（不図示）から音声出力される。
【００７１】
また、タッチパネル１０５を介して図８のメッセージ作成画面における終了キーが押下されると、制御部１１０は、通信端末２００との呼接続を解放し、通話を終了させる。なお、通話の終了は、通信端末２００側での終了キーの押下によっても可能である。
【００７２】
上述したように本実施形態においては、制御部１１０は、近接センサ１０９の検知結果を基に、音声モードと文字入力モードとを切り替える。
【００７３】
そのため、例えば、文字入力モードに切り替えた後に、ユーザが通話制限エリア外に出て通信端末１００に耳を近づけた場合、このことを近接センサ１０９を用いて検知して音声モードに切り替えることができる。
【００７４】
また、音声モードに切り替えた後に、ユーザが通話制限エリア内に入って通信端末１００から耳を離した場合、このことを近接センサ１０９を用いて検知して文字入力モードに切り替えることができる。
【００７５】
したがって、通信端末１００の状況変化（通話制限エリアへの出入り）に迅速に対応することができるという効果が得られる。
【００７６】
なお、本実施形態においては、制御部１１０は、近接センサ１０９の検知結果を基に、通信端末１００の状況を相手の通信端末２００に報知しても良い。通信端末１００の状況としては、例えば、ユーザが通信端末１００から耳を離したこと（音声通話ができない状況になったこと）等が考えられる。また、このときの報知内容および報知方法としては、例えば、「合成音声に切り替えます。」のようなアナウンス情報を相手の通信端末２００に発信すること等が考えられる。
【００７７】
以上、実施形態を参照して本発明を説明したが、本発明は上記実施形態に限定されるものではない。本発明の構成や詳細には、本発明の範囲内で当業者が理解し得る様々な変更をすることができる。
【００７８】
例えば、第２の実施形態においては、本発明の通信端末の一例としてスマートフォンを例に挙げたが、本発明はこれに限定されず、本発明は、通話機能を備えた他の通信端末にも適用可能である。他の通信端末の例としては、携帯電話機、ゲーム機、タブレット型ＰＣ（Personal Computer）、ノート型ＰＣ、ＰＤＡ（Personal Data Assistants：携帯情報端末）、デジタルカメラ等が挙げられる。
【００７９】
また、本発明の通信端末にて行われる方法は、コンピュータに実行させるためのプログラムに適用しても良い。また、そのプログラムを記憶媒体に格納することも可能であり、ネットワークを介して外部に提供することも可能である。
【符号の説明】
【００８０】
１０    通信端末
１１    近接センサ
１２    制御部
１００    通信端末
１０１    着信音声パス切替部
１０２    レシーバー
１０３    音声認識部
１０４    表示部
１０５    タッチパネル
１０６    テキスト読み上げ部
１０７    マイク
１０８    発信音声パス切替部
１０９    近接センサ
１１０    制御部
【図１】
2014183530.tif 000003
【図２】
2014183530.tif 000004
【図４】
2014183530.tif 000005
【図５】
2014183530.tif 000006
【図６】
2014183530.tif 000007
【図３】
2014183530.tif 000008
【図７】
2014183530.tif 000009
【図８】
2014183530.tif 000010